(57)【要約】【課題】  握りレバーをバーハンドルに操作性がよい状態に、コンパクトな取り付け構造で操作簡単に装着することができる作業機バーハンドル用操作装置を提供する。【解決手段】  歩行型作業機のバーハンドル１１に巻き付けるバンド２１と、バンド２１の一対のボルト装着部２３，２３に装着されてバンド２１をバーハンドル１１に締め付け連結する一本の締め付けボルト２４と、握りレバー４０を揺動自在に支持するブラケット３０とを備えている。ブラケット３０に、一対のボルト装着部２３，２３の間に入り込む樹脂材製の連結部３３と、連結部３３に備えた取り付け孔と、回り止め部３４とを設けてある。一対のボルト装着部２３，２３に装着された締め付けボルト２４が取り付け孔を挿通して連結部３３をバンド２１に連結し、かつ、回り止め部３４をストッパー部２６に対向させてブラケット３０の取り付け孔まわりでのバンド２１に対する回り止めを行う。【選択図】        図１
2008126849.tif 000002
【特許請求の範囲】
【請求項１】
歩行型作業機のバーハンドルに巻き付けるバンドと、このバンドの一対のボルト装着部に装着されて前記バンドを前記バーハンドルに締め付け連結する一本の締め付けボルトと、握りレバーを揺動自在に支持するブラケットとを備え、
前記ブラケットに、前記バンドの前記一対のボルト装着部の間に入り込む樹脂材製の連結部と、前記連結部に備えた取り付け孔と、回り止め部とを設け、
前記一対のボルト装着部に装着された前記締め付けボルトが前記取り付け孔を挿通して前記連結部を前記バンドに連結し、かつ、前記回り止め部をストッパー部に対向させて前記ブラケットの前記取り付け孔まわりでの前記バンドに対する回り止めを行うよう構成してある作業機バーハンドル用操作装置。
【請求項２】
前記バンドが樹脂材製である請求項１記載の作業機バーハンドル用操作装置。
【請求項３】
前記ブラケットの全体が樹脂材製である請求項１又は２記載の作業機バーハンドル用操作装置。
【発明の詳細な説明】
【技術分野】
【０００１】
本発明は、歩行型作業機のバーハンドルに揺動操作自在に装着する握りレバーを備えた作業機バーハンドル用操作装置に関する。
【背景技術】
【０００２】
上記した作業機バーハンドル用操作装置として、先に図６（イ）、(ロ)に示されるものを開発した。先に開発した作業機バーハンドル用操作装置は、握りレバー４０と、この握りレバー４０を連結ピン３７の軸芯まわりに揺動自在に支持するブラケット３０と、クランプ６０とを備えている。ブラケット３０は、一対のボルト連結部３８ａ，３８ａを有したクランプ部３８を備え、このクランプ部３８に前記クランプ６０を二本の連結ボルト６１，６１によって締め付け連結されることにより、バーハンドル１１に締め付け連結される。
【発明の開示】
【発明が解決しようとする課題】
【０００３】
先に開発した操作装置の場合、ブラケットをバーハンドルに連結する構造の面から大型になっていた。また、握りレバーのバーハンドルへの装着を行うに当たり、二本の連結ボルトを締め付けるという煩わしい連結手間が必要になっていた。
【０００４】
本発明の目的は、握りレバーをバーハンドルに操作性がよい状態に、コンパクトな取り付け構造で操作簡単に装着することができる作業機バーハンドル用操作装置を提供することにある。
【課題を解決するための手段】
【０００５】
本第１発明による作業機バーハンドル用操作装置は、歩行型作業機のバーハンドルに巻き付けるバンドと、このバンドの一対のボルト装着部に装着されて前記バンドを前記バーハンドルに締め付け連結する一本の締め付けボルトと、握りレバーを揺動自在に支持するブラケットとを備え、
前記ブラケットに、前記バンドの前記一対のボルト装着部の間に入り込む樹脂材製の連結部と、前記連結部に備えた取り付け孔と、回り止め部とを設け、
前記一対のボルト装着部に装着された前記締め付けボルトが前記取り付け孔を挿通して前記連結部を前記バンドに連結し、かつ、前記回り止め部をストッパー部に対向させて前記ブラケットの前記取り付け孔まわりでの前記バンドに対する回り止めを行うよう構成してある。
【０００６】
本第1発明の構成によると、ブラケットの取り付け孔を挿通した状態でバンドの一対のボルト装着部に装着した一本の締め付けボルトを締め付け操作すれば、この締め付けボルトによってバンドがバーハンドルに締め付け連結されるとともにブラケットの連結部がバンドに連結され、握りレバーがブラケットおよびバンドを介してバーハンドルに揺動自在に装着される。そして、ブラケットの回り止め部がストッパー部に対向して、ブラケットの取り付け孔まわりでのバンドに対する回転が抑制される。さらに、連結部を樹脂材製であることによってバンドにガタ付きにくいように締め付け連結しやすく、握りレバーの支持や操作にガタ付きが発生しにくい状態で握りレバーをバーハンドルに装着することができる。
【０００７】
これにより、握りレバーをガタ付きが発生しにくくて操作しやすい状態でバーハンドルに装着することができる。しかも、一本の締め付けボルトを備えさせるとともに締め付け操作するだけで済むコンパクトでかつ取り付け操作簡単な連結構造によって握りレバーをバーハンドルに見栄えのよい状態に装着できる。
【０００８】
本第２発明では、前記バンドが樹脂材製である。
【０００９】
本第２発明の構成によると、バンドをバーハンドルに締め付け連結する際、バーハンドルにバンドの締め付けによる傷の発生を回避しやすい状態で締め付け連結することができる。
【００１０】
これにより、バーハンドルに傷が無い商品価値の高い状態で握りレバーを操作容易に装着することができる。
【００１１】
本第３発明では、前記ブラケットの全体が樹脂材製である。
【００１２】
本第３発明の構成によると、ブラケットの連結部と、その他の回り止め部などとを樹脂材の一体成形によって一挙に作製することができる。
【００１３】
これにより、握りレバーを操作性および見栄えがよい状態に構造簡単にハンドルバーに装着することが可能な操作装置を、ブラケットの製作面から安価に得ることができる。
【発明を実施するための最良の形態】
【００１４】
以下、本発明の実施例を図面に基づいて説明する。
図１は、本発明の実施例に係る歩行型トラクタの全体側面図である。図２は、本発明の実施例に係る歩行型トラクタの全体側面図である。これらの図に示すように、本実施例の歩行型トラクタは、左右一対の駆動自在なタイヤ車輪１，１によって自走する自走車体と、この自走車体の車体フレーム２の後端側の上部にハンドル支持枠３を介して連結されたバー型の操縦ハンドル１０と、前記車体フレーム２の後端部に設けたヒッチ４とを備えている。
この歩行型トラクタは、自走車体の後部に前記ヒッチ４を介してロータリ耕耘装置（図示せず）を連結し、このロータリ耕耘装置にミッションケース５からエンジン６の駆動力を伝達するように構成して、歩行型耕耘機を構成するなど、自走車体の後部に各種の作業装置を連結して各種の歩行型作業機を構成する。
【００１５】
自走車体についてさらに詳述する。
前記車体フレーム２は、左右一対の車軸７，７を下部に駆動自在に備えた前記ミッションケース５と、このミッションケース５の前部から車体前方向きに延出したエンジン搭載フレーム８とを備えて構成してある。エンジン搭載フレーム８は、前記エンジン６を支持している。ミッションケース５は、エンジン６の出力軸６ａからの駆動力をベルトテンションクラッチで成る主クラッチ９を介して入力軸５ａに入力し、この入力軸５ａの駆動力をミッションケース内に位置する走行ミッション（図示せず）を介して前記左右一対の車軸７，７に伝達する。
【００１６】
図１、２に示すように、前記操縦ハンドル１０は、左右一対の車体前後向きのバーハンドル１１，１１と、この左右一対のバーハンドル１１，１１の前端部を連結する車体横向きの連結バー１２とを備えている。左右一対のバーハンドル１１，１１と連結バー１２とは、車体上下方向視で車体後方向きに開口したほぼコ字形に屈曲成形した一本の丸形鋼管材によって構成してある。操縦ハンドル１０は、前記連結バー１２の中間部で前記ハンドル支持枠３の後端部に連結している。操縦ハンドル１０は、前記連結バー１２の上方を覆うハンドルカバー１３を備えている。
【００１７】
前記ハンドル支持枠３の前端部は、車体上下向きの軸芯Ｐ１まわりに回動調節自在にミッションケース５に支持されている。図１に実線で示す操縦ハンドル１０は、後向き状態を示す。図１に二点鎖線で示す操縦ハンドル１０は、前向き状態を示す。これらの図に示すように、操縦ハンドル１０は、前記軸芯Ｐ１まわりにハンドル支持枠３と共に回動調節されることにより、ミッションケース２から車体後方向きに延出した後向き取り付け状態と、ミッションケース２から車体前方向きに延出した前向き取り付け状態とに切り換えて使用できる。
【００１８】
前記ミッションケース２の内部に、左右車輪１，１に対する伝動を各別に入り切り操作して自走車体の操向操作を行う一対の操向クラッチ（図示せず）を設けてある。左側の車輪１に作用する操向クラッチを操作する操作装置２０と、右側の車輪１に作用する操向クラッチ（図示せず）を操作する操作装置２０とを、前記一方のバーハンドル１１の握り部１１ａの付近と、前記他方のバーハンドル１１の握り部１１ａの付近とに振り分けて装着してある。左側車輪１の操向クラッチのための操作装置２０は、操縦ハンドル１０の後向きの取り付け状態において左側に位置するバーハンドル１１に支持され、右側車輪１の操向クラッチのための操作装置２０は、操縦ハンドル１０の後向きの取り付け状態において右側に位置するバーハンドル１１に支持されている。
【００１９】
図３は、前記各操作装置２０の側面図である。図４は、前記各操作装置２０の正面図である。図５は、各操作装置２０の分解状態での斜視図である。これらの図に示すように、各操作装置２０は、バーハンドル１１の握り部１１ａの近くに巻き付けられたバンド２１と、このバンド２１に支持されたブラケット３０と、このブラケット３０に支持された握りレバー４０とを備えている。
【００２０】
バンド２１は、バーハンドル１１の外周面に沿ったバンド本体２２の一端側と他端側とに各別に連結した一対のボルト装着部２３，２３と、前記一方のボルト装着部２３のボルト孔と前記他方のボルト装着部２３のボルト孔とにわたって装着された一本の締め付けボルト２４とを備え、この締め付けボルト２４による両ボルト装着部２３，２３の引き寄せ力によってバーハンドル１１に締め付け連結されている。バンド２１は、バンド本体２２の一端部に回動操作自在に装着された回り止めねじ２５を備えている。この回り止めねじ２５は、これの先端部でバーハンドル１１の外周面に係止し、これによってバンド２１のバーハンドル１１に対する回り止めを行っている。前記バンド本体２１と前記一対のボルト装着２３，２３とは、樹脂材の一体成形によって作製してある。すなわち、バンド２１の全体が樹脂材製になっている。
【００２１】
ブラケット３０は、左右一対のレバー支持部３１，３１を有したブラケット本体３２と、このブラケット本体３２の上端側に連設した連結部３３と、前記ブラケット本体３２の上端側の左横側部に設けた前後一対の回り止め部３４，３４と、前記ブラケット本体３２の上端側の右横側部に設けた前後一対の回り止め部３４，３４と、前記ブラケット本体３２の下部に連設したアウタホルダ３５とを備えている。ブラケット本体３２と連結部３３と各回り止め部３４とアウタホルダ３５とは、樹脂材の一体成形によって作製してある。すなわち、ブラケット３０の全体が樹脂材製になっている。
【００２２】
前記連結部３３は、一つの取り付け孔３６を備えるとともに前記一対のボルト装着部２３，２３の間に入り込むよう形成してある。前記取り付け孔３６には、前記締め付けボルト２４が挿通されている。すなわち、連結部３３は、バンド２１をバーハンドル１１に締め付け連結している前記締め付けボルト２４によってバンド２１のボルト装着部２３に連結され、これによってブラケット３０をバンド２１に連結している。
【００２３】
前記左右一対のレバー支持部３１，３１は、前記握りレバー４０の基部に連設された取り付けアーム４１に装着された連結ピン３７を前記取り付けアーム４１の横外側で支持している。これにより、ブラケット３０は、握りレバー４０を連結ピン３７の車体横向き軸芯まわりに揺動自在に支持している。
【００２４】
前記左側の前後一対の回り止め部３４，３４は、ブラケット３０の締め付けボルト２４によるバンド２１への連結のために、バンド２１の前記一方のボルト装着部２３で成るストッパー部２６の前後一対のストッパー面２６ａ，２６ａに各別に対向した作用状態になっている。前記右側の前後一対の回り止め部３４，３４は、ブラケット３０の締め付けボルト２４によるバンド２１への連結のために、バンド２１の前記他方のボルト装着部２３で成るストッパー部２６の前後一対のストッパー面２６ａ，２６ａに各別に対向した作用状態になっている。すなわち、左側の前後一対の回り止め部３４，３４も、右側の前後一対の回り止め部３４，３４も、ブラケット３０が前記取り付け孔３６のまわりでバンド２１に対して回転しようとすると、対応したストッパー部２６のストッパー面２６ａに当接し、これによってブラケット３０のバンド２１に対する回り止めを行う。
【００２５】
前記アウタホルダ３５は、車体前方向きに開口したアウタ支持孔３５ａを備え、前記握りレバー４０とこの握りレバー４０に対応する操向クラッチの操作部（図示せず）とを連動させている操作ケーブル５０のアウタケーブル５１の端部を前記アウタ支持孔３５ａに前方から挿入させて支持している。
【００２６】
握りレバー４０は、樹脂材の成形によって作製してある。握りレバー４０の前記取り付けアーム４１は、握りレバー４０に樹脂材によって一体成形してある。握りレバー４０は、これの基部に握りレバー４０の樹脂材成形の際に設けたケーブル連結孔４２を備え、このケーブル連結孔４２によって前記操作ケーブル５０のインナーケーブル５２の端部５２ａに連結されている。
【００２７】
つまり、ハンドルバー１１の握り部１１ａを支持した手によって握りレバー４０を握り操作することにより、握りレバー４０が連結ピン３７の軸芯まわりに上昇側に揺動操作され、インナーケーブル５２を引っ張り操作して対応した操向クラッチを切り状態に切り換え操作する。また、握りレバー４０の握り操作を解除することにより、握りレバー４０は、操向クラッチの復帰力によって連結ピン３７の軸芯まわりに下降側に揺動操作され、インナーケーブル５２を緩め操作して操向クラッチを入り状態に復帰操作する。
【００２８】
〔別実施例〕
本発明は、歩行型トラクタのバーハンドルに装着される操作装置の他、歩行型田植機のバーハンドルなど各種の作業機のバーハンドルに装着される操作装置にも適用できる。従って、歩行型トラクタ、歩行型田植機などを総称して歩行型作業機と呼称する。また、上記実施例の如く操向クラッチを操作対象とする他、ブレーキなど各種の操作装置を操作対象する操作装置にも本発明は適用できる。
【図面の簡単な説明】
【００２９】
【図１】歩行型トラクタの全体側面図
【図２】歩行型トラクタの全体平面図
【図３】操作装置の側面図
【図４】操作装置の正面図
【図５】操作装置の分解状態での斜視図
【図６】（イ）は、先に開発した操作装置の側面図、（ロ）は、先に開発した操作装置の正面図
【符号の説明】
【００３０】
１１        バーハンドル
２１        バンド
２３        ボルト装着部
２４        締め付けボルト
２６        ストッパー部
３０        ブラケット
３３        連結部
３４        回り止め部
３６        取り付け孔
４０        握りレバー
【図１】
2008126849.tif 000003
【図２】
2008126849.tif 000004
【図３】
2008126849.tif 000005
【図４】
2008126849.tif 000006
【図５】
2008126849.tif 000007
【図６】
2008126849.tif 000008